(57)【要約】【課題】  運搬が容易な軽量かつコンパクトなユニット材料を用いて作成でき、ボルトや螺子留めの作業が不要で、災害や有事など緊急時に対岸に架橋する必要が生じた際に、迅速に橋を架けることが可能な組立式ユニット橋梁キットを提供すること。【解決手段】  ３個以上の概略六面体、または、概略八面体の床版ユニットを長手積み状に配置して橋を作成する組立式ユニット橋梁キットであって、床面に対して水平方向に設けられた挿入口を有し、ユニット組立橋を架設した状態で上面となる面のユニット組立橋の長さ方向の長さが、下面となる面のその長さに比してわずかに長い概略六面体、または、概略八面体の床版ユニットと、前記挿入口に挿入できる太さを備え、前記床版ユニットの前記挿入口に挿入して隣接する床版ユニット同士を固定できる３個以上の固定棒を備えたことを特徴とする組立式ユニット橋梁キットを提供する。【選択図】  図３８
2016033318.tif 000002
【特許請求の範囲】
【請求項１】
平行に対向した上面と下面を備えた多面体の床版ユニットを３個以上用いて橋を作成する組立式ユニット橋梁キットであって、
正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い多面体の床版ユニットと、前記挿入口に挿入できる太さ又は前記溝に嵌る太さ又は前記切り欠き部に嵌る太さの３個以上の固定棒と、を備えたことを特徴とする組立式ユニット橋梁キット。
【請求項２】
３個以上の概略八面体の床版ユニットを用いて橋を作成する組立式ユニット橋梁キットであって、
正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い概略八面体の床版ユニットと、前記挿入口に挿入できる太さ又は前記溝に嵌る太さ又は前記切り欠き部に嵌る太さの３個以上の固定棒と、を備えたことを特徴とする組立式ユニット橋梁キット。
【請求項３】
３個以上の概略六面体の床版ユニットを用いて橋を作成する組立式ユニット橋梁キットであって、
正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い概略六面体の床版ユニットと、前記挿入口に挿入できる太さ又は前記溝に嵌る太さ又は前記切り欠き部に嵌る太さの３個以上の固定棒と、を備えたことを特徴とする組立式ユニット橋梁キット。
【請求項４】
前記挿入口は、前記床版ユニットの片面から対向する面まで貫通した孔であることを特徴とする請求項１から請求項３いずれか１つに記載の組立式ユニット橋梁キット。
【請求項５】
前記固定棒を締結するためのロープを更に備えたことを特徴とする請求項１から請求項４いずれか１つに記載の組立式ユニット橋梁キット。
【請求項６】
前記床版ユニットのユニット組立橋を組み立てた状態で上面となる面のユニット組立橋の長さ方向は、わずかに弧を描いていて、前記床版ユニットを直接的に３個以上並べると、その上面がアーチ形を構成することを特徴とする請求項１から請求項５いずれか１つに記載の組立式ユニット橋梁キット。
【請求項７】
前記床版ユニットのユニット組立橋を組み立てた状態で下面となる面のユニット組立橋の長さ方向は、わずかに弧を描いていて、前記床版ユニットを直接的に３個以上並べると、その下面がアーチ形を構成することを特徴とする請求項１から請求項６いずれか１つに記載の組立式ユニット橋梁キット。
【請求項８】
請求項１から請求項７いずれかに記載された３個以上の前記床版ユニットを並べてアーチ形状となるよう形成し、前記床版ユニットの前記挿入口また前記溝または前記切り欠き部に前記固定棒を挿入して、前記床版ユニット同士を互いに固定することを特徴とするユニット組立橋の施工方法。
【請求項９】
請求項１から請求項８いずれかに記載された３個以上の前記床版ユニットを並べてアーチ形状となるよう形成し、前記床版ユニットの前記挿入口また前記溝または前記切り欠き部に前記固定棒を挿入して、前記床版ユニット同士を互いに固定し、前記固定棒同士をロープまたはワイヤーで締結して固定することを特徴とするユニット組立橋の施工方法。
【請求項１０】
請求項１から請求項９いずれかに記載された３個以上の前記床版ユニットを並べてアーチ形状となるよう形成し、前記床版ユニットの前記挿入口また前記溝または前記切り欠き部に前記固定棒を挿入して、前記床版ユニット同士を互いに固定し、さらに前記固定棒が挿入できる直径の孔を少なくとも２つ以上備えた補助版ユニットで補強することを特徴とするユニット組立橋の施工方法。
【発明の詳細な説明】
【技術分野】
【０００１】
本発明は、運搬が容易な軽量かつコンパクトなユニット材料を用いて作成でき、ボルトや螺子留めの作業が不要で、災害や有事など緊急時に対岸に架橋する必要が生じた際に、迅速に橋を架けることが可能な組立式ユニット橋梁キットに関する。
【背景技術】
【０００２】
小さな池や川、また、幅の広い溝や開口部を通行するためには、橋の建設が欠かせない。また、災害や有事など緊急時に対岸に架橋する必要が生じた際は、早急に物資の搬送や人の移動が急務とされ、迅速に橋を建設する必要がある。橋の建設には、通常、池や川の端または溝や開口部の縁に土台を造り、土台に平行に配列した複数の形鋼を渡して架橋していく必要があるが。それには、起重機を持ち込んで、土台の材料や形鋼を運搬する必要があり、災害によって道が陥没したりして起重機が入ることが容易ではない場所に橋を建設することは困難を極める。また、形鋼は、互いにボルトや螺子で締結して固定する必要があり、架橋作業は大変な労力や作業時間を要するなどの問題があった。
【先行技術文献】
【特許文献】
【０００３】
【特許文献１】特開２０１４−２４５０２
【発明の概要】
【発明が解決しようとする課題】
【０００４】
そのような問題を解決するため、これまで、様々な橋ユニットが考案された。特許文献１の浮体ユニットは、複数の床版パネルで構成され、長手方向に折り畳みと展張ができる圧縮ストラットを備えており運搬が容易で架橋も簡単である。しかし、床版パネルの長さが決まっているため、架橋する場所が限定され、床版パネルの長さが足りない場所には橋を建設できない。また、橋の通行面は平らであるため、橋の強度には問題があった。さらに、橋の通行面で荷重を受ける場所が毎回同じ場所に偏りやすく、荷重がかかる場所は早く磨耗及び劣化するため、橋の耐用性について問題があった。
【０００５】
そこで、この発明の目的は、軽量でコンパクトなユニット材料を用いるため運搬が容易であって、ボルトや螺子留めの作業が不要で簡単な作業で架設でき、災害や有事など緊急時に対岸に架橋する必要が生じた際にも、迅速に橋を架橋することが可能で、十分な強度と耐用性を備えたユニット組立橋を作成することができる組立式ユニット橋梁キットに関する。
【課題を解決するための手段】
【０００６】
この発明の組立式ユニット橋梁キットは、平行に対向した上面と下面を備えた多面体の床版ユニットを３個以上用いて橋を作成する組立式ユニット橋梁キットであって、正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い多面体の床版ユニットと、前記挿入口に挿入できる太さ又は前記溝に嵌る太さ又は前記切り欠き部に嵌る太さの３個以上の固定棒と、を備えたことを特徴とする。
【０００７】
この発明によれば、熟練した技術者や専門の道具がなくとも、軽量かつコンパクトな床版ユニットと固定棒を組み合わせるだけで、アーチ状の橋を作ることが可能となり、手軽に橋を架橋することができる。また、使用する床版ユニットと固定棒の数を増やせば橋の長さを長くすることも可能であるため設置場所に制限がない。さらに、運搬が容易であることから、起重機や車を乗り入れることが困難な未開の土地でも、臨機応変に、即座に橋を架橋することができる。
【０００８】
また、この発明の組立式ユニット橋梁キットは、３個以上の概略八面体の床版ユニットを用いて橋を作成する組立式ユニット橋梁キットであって、正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い概略八面体の床版ユニットと、前記挿入口に挿入できる太さ又は前記溝に嵌る太さ又は前記切り欠き部に嵌る太さの３個以上の固定棒と、を備えたことを特徴とする。
【０００９】
この発明によれば、熟練した技術者や専門の道具がなくとも、軽量かつコンパクトな床版ユニットと固定棒を組み合わせるだけで、アーチ状の橋を作ることが可能となり、手軽に橋を架橋することができる。また、使用する床版ユニットと固定棒の数を増やせば橋の長さを長くすることも可能であるため設置場所に制限がない。さらに、運搬が容易であることから、起重機や車を乗り入れることが困難な未開の土地でも、臨機応変に、即座に橋を架橋することができる。ここで、概略八面体とは、８つの平面に囲まれた立体形状を指し、上面と下面が六角形である六角柱形状も含む概念である。また、八面体の８つの平面それぞれの辺が、直線ではなく、わずかに弧を描いているものも含むものとする。
【００１０】
また、この発明の組立式ユニット橋梁キットは、３個以上の概略六面体の床版ユニットを用いて橋を作成する組立式ユニット橋梁キットであって、正面に挿入口を有し、右側面及び左側面に溝または切り欠き部を有し、ユニット組立橋を組み立てた状態で上面となる面のユニット組立橋の長さ方向の長さが、下面となる面のその長さに比してわずかに長い概略六面体の床版ユニットと、前記挿入口に挿入できる太さ又は前記溝に嵌る太さ又は前記切り欠き部に嵌る太さの３個以上の固定棒と、を備えたことを特徴とする。
【００１１】
この発明によれば、熟練した技術者や専門の道具がなくとも、軽量かつコンパクトな床版ユニットと固定棒を組み合わせるだけで、アーチ状の橋を作ることが可能となり、手軽に橋を架橋することができる。また、使用する床版ユニットと固定棒の数を増やせば橋の長さを長くすることも可能であるため設置場所に制限がない。さらに、運搬が容易であることから、起重機や車を乗り入れることが困難な未開の土地でも、臨機応変に、即座に橋を架橋することができる。ここで、概略六面体とは、６つの平面に囲まれた立体形状を指し、６つの平面それぞれが略四角形であるが、辺が直線ではなく、わずかに弧を描いているものも含むものとする。
【００１２】
また、この発明の組立式ユニット橋梁キットの前記挿入口は、前記床版ユニットの片面から対向する面まで貫通した孔であることを特徴とする。
【００１３】
この発明によれば、床版ユニットの挿入口に、固定棒を挿入し、貫通させて、複数枚の床版ユニットを所定の位置で連結し固定することができるので、組立後は古代ローマ時代に建造されたアーチ橋に似た構造の強固なユニット組立橋を形成することができる。
【００１４】
また、この発明の組立式ユニット橋梁キットは、３個以上の概略六面体の床版ユニットを並べ、橋を作成する組立式ユニット橋梁キットであって、正面に挿入口を有し、右側面及び左側面に溝または切り欠き部を有し、ユニット組立橋を架設した状態で上面となる面のユニット組立橋の長さ方向の長さが、下面となる面のその長さに比してわずかに長い概略六面体の床版ユニットと、前記挿入口に挿入できる太さを備え、前記床版ユニットの前記挿入口に挿入して隣接する床版ユニット同士を固定できる固定棒と、前記固定棒を締結するためのロープ、または、ワイヤーを備えたことを特徴とする。
【００１５】
この発明によれば、軽量かつコンパクトな床版ユニットと固定棒を組み合わせて、アーチ状の橋を作ることが可能となり、どこでも手軽に橋を架橋することができるとともに、隣り合う固定棒をロープで互いに締結することにより、より強度の高い橋を架橋することが可能となる。ロープは、軽量かつコンパクトなので運搬も容易であり、床版ユニット及び固定棒と一緒に、車や起重機を乗り入れることが困難な場所にも、持ち込めるので、どこでも簡素に橋を架橋することができる。
【００１６】
また、この発明の組立式ユニット橋梁キットの前記床版ユニットのユニット組立橋を架設した状態で上面となる面のユニット組立橋の長さ方向は、わずかに弧を描いていて、前記床版ユニットを直接的に複数個並べると、その上面がアーチ形を構成することを特徴とする。
【００１７】
この発明によれば、橋の通行面がアーチ形状になっているので、人間や車など、重量物が通行しても、荷重に耐えることのできる強固な橋を提供することができる。
【００１８】
また、この発明の組立式ユニット橋梁キットの前記床版ユニットのユニット組立橋を架設した状態で下面となる面のユニット組立橋の長さ方向は、わずかに弧を描いていて、前記床版ユニットを直接的に３個以上並べると、その下面がアーチ形を構成することを特徴とする。
【００１９】
この発明によれば、人間や車など、重量物が通行しても、荷重に耐えることのできる強固な橋を提供することができる。
【００２０】
また、この発明の組立式ユニット橋梁キットの施工方法は、３個以上の前記床版ユニットを並べてアーチ形状となるよう形成し、前記床版ユニットの前記挿入口また前記溝または前記切り欠き部に前記固定棒を挿入して、前記床版ユニット同士を互いに固定することを特徴とする。
【００２１】
この発明によれば、床版ユニットの境目が同一直線状に揃うことがなく、床版ユニットの接合面の強度を、互いの床版ユニット同士が補い合うことで、橋の安定性を保つことを特徴としている。
【００２２】
また、この発明の組立式ユニット橋梁キットの施工方法は、３個以上の前記床版ユニットを並べてアーチ形状となるよう形成し、前記床版ユニットの前記挿入口また前記溝または前記切り欠き部に前記固定棒を挿入して、前記床版ユニット同士を互いに固定し、前記固定棒同士をロープまたはワイヤー等で締結して固定することを特徴とする。
【００２３】
この発明によれば、床版ユニットの境目が揃わず、橋の通行面の強度を均一にすることができ、さら隣り合う固定棒同士をロープまたはワイヤー等で締結することによって、床版ユニットの位置ずれを防ぎ、橋の強度を向上させることができる。
【００２４】
また、この発明の組立式ユニット橋梁キットの施工方法は、３個以上の前記床版ユニットを並べてアーチ形状となるよう形成し、前記床版ユニットの前記挿入口また前記溝または前記切り欠き部に前記固定棒を挿入して、前記床版ユニット同士を互いに固定し、さらに前記固定棒が挿入できる直径の孔を少なくとも２つ以上備えた補助版ユニットで補強することを特徴とする。
【００２５】
この発明によれば、床版ユニットの境目が揃わず、橋の通行面の強度を均一にすることができ、さらに、固定棒同士を補助版ユニットでさらに固定し補強することによって、床版ユニットの位置ずれを防ぎ、橋の強度を向上させることができる。
【図面の簡単な説明】
【００２６】
【図１】この発明の実施の形態１にかかる組立式ユニット橋梁キット１００であって、床版ユニット１と固定棒２を示す斜視図である。
【図２】図１に示した組立式ユニット橋梁キット１００の床版ユニット１と固定棒２を示す正面図である。
【図３】図１に示した組立式ユニット橋梁キット１００の床版ユニット１と固定棒２を示す平面図である。
【図４】図１に示した組立式ユニット橋梁キット１００の床版ユニット１と固定棒２を示す底面図である。
【図５】図１に示した組立式ユニット橋梁キット１００の床版ユニット１と固定棒２を示す右側面図である。
【図６】図１に示した組立式ユニット橋梁キット１００において、端縁用ユニット３を示す斜視図である。
【図７】図１に示した組立式ユニット橋梁キット１００において、橋を作成する手順を示す説明図である。
【図８】図１に示した組立式ユニット橋梁キット１００において、橋を作成する手順を示す説明図である。
【図９】図１に示した組立式ユニット橋梁キット１００において、橋を作成する手順を示す説明図である。
【図１０】図１に示した組立式ユニット橋梁キット１００において、完成した橋を設置した状態を示す参考斜視図である。
【図１１】図１０のＡ部拡大図であって、固定棒２同士をロープで締結して橋を補強した状態を示す参考図である。
【図１２】（ａ）は補助版ユニット９ｅ及び９ｆの斜視図であり、（ｂ）は図１０のＡ部拡大図であって、補助版ユニット９ｅ及び９ｆを使用して橋を補強した状態を示す参考図である。
【図１３】この発明の実施の形態２にかかる組立式ユニット橋梁キット２００であって、薄床版ユニット４と固定棒２を示す斜視図である。
【図１４】図１１に示したユニット組立橋キッ２００の薄床版ユニット４と固定棒２を示す正面図である。
【図１５】図１１に示した組立式ユニット橋梁キット２００の薄床版ユニット４と固定棒２を示す平面図である。
【図１６】図１１に示した組立式ユニット橋梁キット２００の薄床版ユニット４と固定棒２を示す底面図である。
【図１７】図１１に示した組立式ユニット橋梁キット２００の薄床版ユニット４と固定棒２を示す右側面図である。
【図１８】図１１に示した組立式ユニット橋梁キット２００において、端縁用ユニット５を示す斜視図である。
【図１９】図１１に示した組立式ユニット橋梁キット２００において、橋を作成する手順を示す説明図である。
【図２０】図１１に示した組立式ユニット橋梁キット２００において、橋を作成する手順を示す説明図である。
【図２１】図１１に示した組立式ユニット橋梁キット２００において、橋を作成する手順を示す説明図である。
【図２２】図１１に示した組立式ユニット橋梁キット２００において、完成した橋を設置した状態を示す参考斜視図である。
【図２３】この発明の実施の形態３にかかる組立式ユニット橋梁キット３００であって、薄床版ユニット６、固定棒７ａ及び補助固定棒７ｂを示す斜視図である。
【図２４】図２１に示した組立式ユニット橋梁キット３００の薄床版ユニット６、固定棒７ａ及び補助固定棒７ｂを示す正面図である。
【図２５】図２１に示した組立式ユニット橋梁キット３００の薄床版ユニット６、固定棒７ａ及び補助固定棒７ｂを示す平面図である。
【図２６】図２１に示した組立式ユニット橋梁キット３００の薄床版ユニット６、固定棒７ａ及び補助固定棒７ｂを示す底面図である。
【図２７】図２１に示した組立式ユニット橋梁キット３００の薄床版ユニット６、固定棒７ａ及び補助固定棒７ｂを示す右側面図である。
【図２８】図２１に示した組立式ユニット橋梁キット３００において、端縁用ユニット８を示す斜視図である。
【図２９】図２１に示した組立式ユニット橋梁キット３００において、橋を作成する手順を示す説明図である。
【図３０】図２１に示した組立式ユニット橋梁キット３００において、橋を作成する手順を示す説明図である。
【図３１】図２１に示した組立式ユニット橋梁キット３００において、橋を作成する手順を示す説明図である。
【図３２】図２１に示した組立式ユニット橋梁キット３００において、完成した橋を設置した状態を示す参考斜視図である。
【図３３】この発明の実施の形態４にかかる組立式ユニット橋梁キット４００であって、床版ユニットＡ１と固定棒Ａ２を示す斜視図である。
【図３４】図３３に示した組立式ユニット橋梁キット４００の床版ユニットＡ１と固定棒Ａ２を示す正面図である。
【図３５】図３３に示した組立式ユニット橋梁キット４００の床版ユニットＡ１と固定棒Ａ２を示す平面図である。
【図３６】図３３に示した組立式ユニット橋梁キット４００の床版ユニットＡ１と固定棒Ａ２を示す底面図である。
【図３７】図３３に示した組立式ユニット橋梁キット４００の床版ユニットＡ１と固定棒Ａ２を示す右側面図である。
【図３８】図３３に示した組立式ユニット橋梁キット４００を説明する説明図である。
【発明を実施するための形態】
【００２７】
（実施の形態１）
図１は、この発明の実施の形態１にかかる組立式ユニット橋梁キット１００の床版ユニット１と固定棒２の斜視図である。図２は、図１に示した組立式ユニット橋梁キット１００の床版ユニット１と固定棒２の正面図であって、図３は、図１に示した組立式ユニット橋梁キット１００の床版ユニット１と固定棒２の平面図である。図４は、図１に示した組立式ユニット橋梁キット１００の床版ユニット１と固定棒２の底面図であって、図５は、図１に示した組立式ユニット橋梁キット１００の床版ユニット１と固定棒２の右側面図である。
【００２８】
図１に示すように、本発明の組立式ユニット橋梁キット１００は、概略六面体の床版ユニット１と固定棒２とを主に有するキットである。床版ユニット１は、概略六面体であって、正面に２つの挿入口１５と左右にそれぞれ２本ずつ溝１６が設けられ、固定棒２は、細長い円柱形状であり、挿入口１５または溝１６に嵌る太さとなっている。床版ユニット１は、プラスチック成型で形成しても良いし、木製、混凝土、発泡スチロール、ウレタンとしても良いし、アルミや鋼鉄で作成しても良い。また、プラスチック成型やアルミや鋼鉄で作成する場合は、中空のブロックとすれば、重量を軽減でき、製造コストも安価にすることができる。
【００２９】
図２に示すように、正面視、床版ユニット１の上辺１０ａと下辺１０ｂは、目視では直線に見えるが、それぞれ、直線ではなく、わずかに円弧を描いている。さらに、上辺１０ａの長さは、下辺１０ｂの長さに比して、わずかに長くなっている。したがって、床面ユニット１を、横に複数枚直列的に並べていくと、床面ユニット１の上辺１０ａが連なって、ゆるやかなアーチ形状を形成する（図９参照、後述）。
【００３０】
実施例１では、床版ユニット１の上辺１０ａの長さが１０１ミリメートル、下辺１０ｂの長さが９７ミリメートルであり、奥行きは１００ミリメートルとなっている。この床版ユニット１を、１５７枚横につなげると半径約５メートルの円が形成される。ただし、床版ユニット１の寸法は、この大きさに限定されるものではない。床版ユニット１の正面の上辺１０ａは、下辺１０ｂより長くなっているが、長さ比率については、実施例１の比率に限定されない。アーチの傾斜が緩やかな橋を作りたいときは、床版ユニット１の上辺１０ａの長さと下辺１０ｂの長さの差を短くすると良い。実施例１の床版ユニット１では、２メートルから５メートルの長さの橋を作るのに適している。もっと長い橋を作成したい場合は、上辺１０ａの長さと下辺１０ｂの長さの差を小さくして、作成されるアーチの傾斜が緩くなるようにすると良い。
【００３１】
図３に示すように、平面視、床版ユニット１の上面１１は、長方形状となっており、上面の四辺は、すべて直線となっている。固定棒２は細長い円柱の棒であるが、固定棒２の長さは、床版ユニット１の厚みよりも長くなっている。
【００３２】
挿入口１５は、実施例１では、対向する面まで貫通した孔となっている。挿入口１５は、貫通させない孔として、固定棒２を挿入口１５に嵌めることとしても良い。挿入口１５の直径は、固定棒２の直径よりすこし大きくして、挿入口１５に、固定棒２がスムーズに挿入できるように形成する。ただし、挿入口１５の穴の直径をあまり大きくすると、床版ユニット１の位置ずれの原因ともなるため、挿入口１５の孔の直径は、固定棒２の直径に数ミリメートル余裕をもたせた程度が最適である。
【００３３】
図４に示すように、底面視、床版ユニット１の底面１４は、長方形状となっており、底面１４の四辺は、すべて直線となっている。前述のとおり、床版ユニット１は、上辺１０ａが下辺１０ｂよりもすこし長くなっているため、底面１４の横方向の辺の長さは、上面１１の横方向の長さよりも少し短くなっている。
【００３４】
実施例１では、固定棒２は、細い円柱形状としているが、固定棒２の形状は円柱形状に限定されず、四角柱、三角柱、または楕円柱でも良いし、また、螺子のように螺旋状の凸部または溝を設けても良い。固定棒２を四角柱にする場合は床版ユニット１の挿入口１５は四角い孔とし、固定棒２を三角柱とする場合は床版ユニット１の挿入口１５を三角の孔とすると良い。また、固定棒２に螺旋状の凸部を設け、螺子の先端のような形状にする場合は、挿入口１５にも孔の内側に、螺旋状の溝を設けて、固定棒２の螺旋状の凸部が嵌るようにすると良い。
【００３５】
図５に示すように、床版ユニット１の右側側面１３には、上部と下部に、溝１６が、それぞれ床面に対し平行に設けられている。溝１６は、断面が半円形状の溝であって、溝の上縁の幅は挿入口１５の幅と同じである。また、溝１６の深さは、挿入口１５の半径と同じとなっている。すなわち、３個以上の床版ユニット１を直列的に配設する（換言すると、床版ユニット１の右側面１３と隣接する床版ユニット１とが左側面１２接するように配設する）と、床版ユニット１の右側面１３に設けられた溝１６と、隣接する床版ユニット１６の左側面１２に設けられた溝１６が隣り合うと、挿入口１５を模した形状の挿入口を形成することができ、当該挿入口に固定棒２を挿入することができる。溝１６の代わりに、床版ユニット１の右側側面１３に、断面が三角形または四角形その他の形状の切り欠き部を設けて、当該切り欠き部に固定棒２を挿入するようにしても良い。
【００３６】
図６は、図１に示した組立式ユニット橋梁キット１００において、端縁用ユニット３を示す斜視図である。端縁ユニット３は、上辺３０ａ及び下辺３０ｂの長さが床版ユニットの半分の寸法となっている。また、端縁ユニット３には、挿入口１５は設けられていないが、溝１６については、床版ユニット１と同じ場所である左側側面及び右側側面の上部と下部に設けられている。
【００３７】
ユニット組立橋を作成する際、床版ユニット１は、横並びに直列的に並べて橋の長さ方向を作成するとともに、並列的にも重ねていき、橋の幅を広くしていく。その際、床版ユニット１の境目が同じ場所にあると、境目部分の強度が弱くなってしまうので、床版ユニット１を並列的に重ねる際、該床版ユニット１の挿入口１６が、隣接する床版ユニット１の溝１６と重なるように、つまり、半分ずらしながら交互に並べていく。そのように並べていくと、ユニット組立橋の長さ方向の端縁は、凸凹になるが、ここで、凹んだ部分に端縁用ユニット３を用いると端縁を揃えることができる。
【００３８】
次に、図７から図１０を示しながら、組立式ユニット橋梁キット１００で、橋を組み立てる手順について説明する。  図７から図９は、図１に示した組立式ユニット橋梁キット１００において、橋を作成する手順を示す説明図である。図１０は、図１に示した組立式ユニット橋梁キット１００において、完成した橋を設置した状態を示す参考斜視図である。
【００３９】
図７（ａ）に示すように、まず、床版ユニット１を、横並びに、縦列状に並べていく。さらに、固定棒２を、床版ユニット１の挿入口１５と、溝１６に、それぞれ挿入する。組立式ユニット橋梁キット１００は、最初は平らな床面で台座などを用いつつ組立てを行い、アーチ形状のユニット組立橋ができあがった後に、ユニット組立橋の形状が保たれた状態を維持しつつ持ち上げて橋をかけたい場所に移動し、橋の端を自岸に設置し、橋のもうひとつの端には、ロープを縛り付け、対岸からロープを手繰りよせるように設置するようにすると作業が容易である。  また、橋を掛ける作業方法については既知技術でよく、他方法であっても本発明の主旨を逸脱しない。
【００４０】
次に、図７（ｂ）に示すように、床版ユニット１を、並列的に、重ねていく。その際に、図８（ｃ）のように、床版ユニット１を隣接する床版ユニット１にぴったりと重ねず、床版ユニット１の挿入口１５と、隣接する床版ユニット１の溝１６の位置が合わさるように、ちょうど半分ずれるように重ねていく。床版ユニット１を重ねていくと、橋の長手方向の一番端は、一列おきに空間を生じることになるので、図８（ｄ）のように、その空間には端縁ユニット３を配設して、橋の長手方向の端が揃うようにする。
【００４１】
図９のように、床版ユニット１と固定棒２と端縁ユニット３を組み合わせて、アーチ形状のユニット組立橋が完成したら、ユニット組立橋の形状が保たれた状態を維持しつつ持ち上げて、橋を渡したい場所に運び、設置する。
【００４２】
図１０のように、橋を設置する際は、ユニット組立橋をかける岸に、平面土台９ｃを設置し、その上に組立式ユニット橋梁キット１００で作成した橋の端を静かに置く。そのあと、ユニット組立橋の端を囲むように三角柱土台９ａと９ｂを置いて、ユニット組立橋を固定する。
【００４３】
アーチ形状のユニット組立橋は、上から荷重がかかると、アーチの支点すなわちユニット組立橋の両端部分に、アーチ形状が外に開こうとする水平反力が発生する。長大なユニット組立橋になるほど、この橋梁を引き伸ばそうとする水平反力も大きくなる。したがって、アーチの始点であるユニット組立橋の両端は、三角柱土台９ａ、９ｂによって、しっかりと固定する必要がある。さらに、図１１に示すように、固定棒２同士をロープ９ｄで締結し、橋梁部分が外方向に開かないように補強してやると、さらにユニット組立橋を強固なものにすることができる。
【００４４】
ロープ９ｄは、ワイヤーで代替することも可能であり、その他植物性のジュート紐や蔦などでもよく、その他素材であっても本発明の主旨を逸脱しない。
【００４５】
固定棒２同士をロープやワイヤーで締結する方法のほか、図１２（ａ）に示すように、補助版ユニット９ｅ及び９ｆを用いて、固定棒２同士の固定を補強しても良い。補助版ユニット９ｅ及び９ｆは、板状であって、挿入口１５と溝１６と同じ間隔で、挿入口１５と同じ直径の開口が設けられている。補助版ユニット９ｅは、床版ユニット１の上側の挿入口１５に挿入された固定棒２同士の固定を補強するために用い、補助版ユニット９ｆは、床版ユニット１の下側の挿入口１５に挿入された固定棒２同士の固定を補強するために用いる。
【００４６】
床版ユニット１の下側に設けられた挿入口１５同士の間隔は、床版ユニット１の上側に設けられた挿入口１５同士の間隔より狭くなっているため、補助床版ユニット９ｆの横幅は、補助床版ユニット９ｅの横幅より若干短くなっている。図１２（ｂ）に示すように、ユニット組立橋を組立てた後、上側の固定棒２の頭部が出ている部分に、補助版ユニット９ｅの挿入口を嵌めていき、下側の固定棒２の頭部が出ている部分に、補助版ユニット９ｆの挿入口を嵌めていき、隣り合う固定棒の距離が、所定の間隔を維持できるようにする。
【００４７】
補助版ユニット９ｅ及び９ｆは、図１２（ｂ）では、床版ユニット１の上側及び下側に、それぞれ一枚ずつ（一重に）使用されているが、補助版ユニット９ｅ及び９ｆは、二重または三重に重ねて使用すると、さらに、橋の強度を上げることができる。煉瓦を積む方法のひとつである長手積みの要領で、補助版ユニット９ｅ、９ｆが、それぞれ縦半分ずつ重なるように重ねていくと良い。
【００４８】
災害時の仮設橋や、緊急時に使用する橋の場合は、三角柱土台９ａ及び９ｂは省略しても良い。また、岸の地盤がある程度、固いものである場合は、平面土台９ｃも省略して、組立式ユニット橋梁キット１００で作成した橋を岸に直接設置しても良い。さらに、岸に盛り土をして、その上に、組立式ユニット橋を置くようにしても良い。移設の方法については、対岸よりロープなどで手繰り寄せる方法や既知の他の手法を用いても良い。また、橋を掛ける作業方法については既知技術でよく、他方法であっても本発明の主旨を逸脱しない。
【００４９】
（実施の形態２）
次に、図１３から図２２を使用して、実施例２の組立式ユニット橋梁キット２００を説明する。
【００５０】
図１３は、この発明の実施の形態２にかかる組立式ユニット橋梁キット２００であって、薄床版ユニット４と固定棒２を示す斜視図であり、図１４は、図１３に示した組立式ユニット橋梁キット２００の薄床版ユニット４と固定棒２を示す正面図である。また、図１５は、図１３に示した組立式ユニット橋梁キット２００の薄床版ユニット４と固定棒２を示す平面図であり、図１６は、図１３に示した組立式ユニット橋梁キット２００の薄床版ユニット４と固定棒２を示す底面図である。図１６は、図１３に示した組立式ユニット橋梁キット２００の薄床版ユニット４と固定棒２を示す右側面図である。
【００５１】
図１４に示すように、本発明の組立式ユニット橋梁キット２００は、薄床版ユニット４と固定棒２を主に有するキットである。薄床版ユニット４は、略四角形の薄い板形状であって、正面に２つの挿入口１５と左右にそれぞれ２本ずつ半円形状の切り込みである溝１６が設けられている。固定棒２は、細長い円柱形状であり、挿入口１５または溝１６に嵌る太さとなっている。実施例２の薄床版ユニット４は、薄く軽いので、運搬が簡素である。また、薄床版ユニット４の製造も、同形状の板を作り置きするだけ良いので、製造コストや倉庫費用も安価にすることが可能となる。
【００５２】
図１５に示すように、正面視、薄床版ユニット４の上辺４０ａと下辺４０ｂは、目視では同距離に見えるが、上辺４０ａは下辺４０ｂに比して、わずかに長くなっている。さらに、上辺４０ａ及び下辺４０ｂは、それぞれ、直線ではなく、わずかに円弧を描いている。したがって、薄床版ユニット４を、横に複数枚直列的に並べていくと、薄床版ユニット４の上辺４０ａが、ゆるやかなアーチ形状を形成する（図２１参照、後述）。
【００５３】
実施例２では、薄床版ユニット４の上辺４０ａの長さが１０１ミリメートル、下辺４０ｂの長さが９７ミリメートルであり、厚みは１０ミリメートル程度となっている。この薄床版ユニット４を、１５７枚横につなげると半径約５メートルの円が形成される。ただし、薄床版ユニット４の寸法は、この大きさに限定されるものではない。薄床版ユニット４の正面の上辺４０ａは、下辺４０ｂよりも長くなっているが、長さ比率については、実施例２の比率に限定されない。アーチの傾斜が緩やかな橋を作りたいときは、薄床版ユニット４の上辺４０ａの長さと下辺４０ｂの長さの差を短くすると良い。実施例２の薄床版ユニット４では、２メートルから５メートルの長さの橋を作るのに適している。もっと長い橋を作成したい場合は、上辺４０ａの長さと下辺４０ｂの長さの差を短くして、作成されるアーチの傾斜が緩くすると良い。
【００５４】
図１５に示すように、平面視、薄床版ユニット４は、長方形状となっており、上面四辺は、すべて直線となっている。固定棒２の長さは、薄床版ユニット４の厚みより長くなっている。
【００５５】
挿入孔１５は、実施例２では、対向する面まで貫通した孔となっている。挿入口１５の直径は、固定棒２の直径よりすこし大きくして、挿入口１５に、固定棒２がスムーズに挿入できるように形成する。挿入口１５の穴の直径をあまり大きくすると、薄床版ユニット４の位置ずれの原因ともなるため、挿入口１５の孔の直径は、固定棒２の直径に比較し２ミリメートル程度長いと最適である。
【００５６】
図１６に示すように、底面視、薄床版ユニット４は、細長い長方形状となっており、底面四辺は、すべて直線となっている。前述のとおり、薄床版ユニット４は、上辺４０ａが下辺４０ｂよりもすこし長くなっているため、底面の横方向の辺の長さは、上面の横方向の長さよりもすこし短くなっている。
【００５７】
実施例２では、固定棒２は、細い円柱形状としているが、固定棒２の形状は円柱形上に限定されず、四角柱や三角柱でも良いし、また、螺子のように螺旋状の溝を設けても良い。固定棒２を螺子形状にする場合は、挿入口１５にも螺旋状の溝を設けると良い。
【００５８】
図１７に示すように、薄床版ユニット４の右側側面１３には、上部と下部に、溝１６が設けられている。溝１６は、半円形状の切り欠き部であって、溝の上縁の幅は挿入口１５の幅と同じである。また、溝１６の深さは、挿入口１５の半径と同じとなっている。すなわち、複数の薄床版ユニット４を直接的に配設した際、薄床版ユニット４の右側面１３に設けられた溝１６と、隣接する薄床版ユニット４の左側面１２に設けられた溝１６とで、挿入口１５と同じ直径の孔を形成する。
【００５９】
図１８は、図１３に示した組立式ユニット橋梁キット２００において、端縁用ユニット５を示す斜視図である。端縁用ユニット５は、上辺５０ａ及び下辺５０ｂの長さが床版ユニットの半分の寸法となっている。また、端縁ユニット３には、挿入口１５は設けられていないが、溝１６については、床版ユニット１と同じ場所に左右に設けられている。
横並びに縦列的に並べて橋の長さ方向を作成するとともに、並列状にも重ねていき、橋の幅を広くしていく。その際に、薄床版ユニット４の境目が同じ直線上にあると、境目部分の強度が弱くなってしまう。そこで、その挿入口１６が、隣接する薄床版ユニット４の溝１６と重なるように、半分ずらしながら交互に並べていく。そのため、一番端には、長さを揃えるために端縁用ユニット５を用いると良い。端縁ユニット５は、上辺５０ａ及び下辺５０ｂの長さが薄床版ユニットの半分の寸法となっている。また、端縁ユニット３には、挿入口１５は設けられていないが、溝１６については、薄床版ユニット４と同じ場所に左右に半円形状の切り欠き部が設けられている。
【００６０】
次に、図１９から図２２を示しながら、組立式ユニット橋梁キット２００で、橋を架橋する手順について説明する。
【００６１】
図１９から図２１は、図１３に示した組立式ユニット橋梁キット２００において、橋を作成する手順を示す説明図であり、図２１は、図１３に示した組立式ユニット橋梁キット２００において、完成した橋を設置した状態を示す参考斜視図である。
【００６２】
図１９（ａ）に示すように、まず、薄床版ユニット４を、横並びに、縦列状に並べる。さらに、固定棒２を、薄床版ユニット４の挿入口１５と、溝１６に、それぞれ差し込んでいく。組立式ユニット橋梁キット２００は、最初は、平らな床面で台座などを用いつつ組立を行い、橋を完成させ、できあがった後に、橋をかけたい場所に組立てられた本発明の橋を移設するようにすると作業が容易である。
【００６３】
次に、図１９（ｂ）に示すように、薄床版ユニット４を、並列的に、重ねていく。その際に、図２０（ｃ）のように、薄床版ユニット４を隣接する薄床版ユニット４にぴったりと重ねず、薄床版ユニット４の挿入口１５と、隣接する薄床版ユニット４の溝１６の位置が合わさるように、煉瓦を積む方法のひとつである長手積みの要領で、薄床版ユニット４が、ちょうど縦半分ずれるように重ねていく。薄床版ユニット４を重ねていくと、橋の長手方向の一番端は、一列おきに空間を生じることになるので、図２０（ｄ）のように、その空間には端縁ユニット５を配設して、橋の長手方向の端が揃うようにする。
【００６４】
図２１のように、薄床版ユニット４と固定棒２と端縁ユニット５を組み合わせて、アーチ形状のユニット組立橋が完成したら、ユニット組立橋の全体の形状を保持しつつ、ユニット組立橋の片方を対岸よりロープなどで手繰り寄せるなどして所定の場所にユニット組立橋を設置する。
【００６５】
図２２のように、橋を設置する際は、ユニット組立橋をかける岸に、平面土台９ｃを設置し、その上に組立式ユニット橋梁キット２００で作成した橋の端を静かに置く。そのあと、ユニット組立橋の端を囲むように三角柱土台９ａと９ｂを置いて、ユニット組立橋を固定する。
【００６６】
災害時の仮設橋や、緊急時に使用する橋の場合は、三角柱土台９ａ及び９ｂは省略しても良い。また、岸の地盤がある程度、固いものである場合は、平面土台９ｃも省略して、組立式ユニット橋梁キット２００で作成した橋を岸に直接設置しても良い。さらに、岸に盛り土をして、その上に、ユニット組立橋を置くようにしても良い。
【００６７】
次に、図２３から図３２を使用して、実施の形態３の組立式ユニット橋梁キット３００を説明する。
【００６８】
（実施の形態３）
図２３は、この発明の実施の形態３にかかる組立式ユニット橋梁キット３００であって、薄床版ユニット６、固定棒７ａ及び補助固定棒７ｂを示す斜視図であり、図２４は、図２３に示した組立橋キット３００の薄床版ユニット６、固定棒７ａ及び補助固定棒７ｂを示す正面図である。図２５は、図２３に示した組立橋キット３００の薄床版ユニット６、固定棒７ａ及び補助固定棒７ｂを示す平面図であり、図２６は、図２３に示した組立橋キット３００の薄床版ユニット６、固定棒７ａ及び補助固定棒７ｂを示す底面図である。図２７は、図２３に示した組立式ユニット橋梁キット３００の薄床版ユニット６、固定棒７ａ及び補助固定棒７ｂを示す右側面図である。
【００６９】
図２３に示すように、本発明の組立式ユニット橋梁キット３００は、概略六面体の薄床版ユニット６、固定棒７ａ及び補助固定棒７ｂを主に有するキットである。薄床版ユニット６は、薄い略四角形の板であって、正面に２つの挿入口１５と左右にそれぞれ２箇所に溝１６が設けられている。固定棒７ａは、細長い四角柱形状であり、挿入口１５または溝１６に嵌る太さとなっている。補助固定棒７ｂは、細長い棒状であり、薄床版ユニット６に設けられた補助固定棒挿入口６８に嵌る太さとなっている。
【００７０】
図２４に示すように、正面視、薄床版ユニット６の上辺６０ａは、目視では直線に見えるが、下辺６０ｂに比して、わずかに長くなっている。さらに、上辺６０ａ及び下辺６０ｂは、それぞれ、直線ではなく、わずかに円弧を描いている。したがって、薄床面ユニット６を、横に複数枚直列的に並べていくと、薄床面ユニット４の上辺６０ａが、ゆるやかなアーチ形状を形成する（図３１参照、後述）。
【００７１】
実施例３では、薄床版ユニット６の上辺６０ａの長さが１０１ミリメートル、下辺６０ｂの長さが９７ミリメートルであり、厚みは１０ミリメートル程度となっている。この薄床版ユニット６を、１５７枚横につなげると半径約５メートルの円が形成される。ただし、薄床版ユニット６の寸法は、この大きさに限定されるものではない。薄床版ユニット６の正面の上辺６０ａは、下辺６０ｂよりも長くなっているが、長さ比率については、実施例２の比率に限定されない。アーチの傾斜が緩やかな橋を作りたいときは、薄床版ユニット６の上辺６０ａの長さと下辺６０ｂの長さの差を少なくすると良い。実施例２の薄床版ユニット６では、２メートルから５メートルの長さの橋を作るのに適している。もっと長い橋を作成したい場合は、上辺６０ａの長さと下辺６０ｂの長さの差を小さくして、作成されるアーチの傾斜が緩くなるようにすると良い。
【００７２】
図２５に示すように、平面視、薄床版ユニット４は、長方形状となっており、上面四辺は、すべて直線となっている。固定棒７ａ及び補助固定棒７ｂの長さは、薄床版ユニット６を５〜６枚貫通できる長さとなっている。固定棒７ａ及び補助固定棒７ｂの長さは、実施例３では１００ミリメートル程度となっているが、この長さに限定されるものではなく、もっと長くしても良いし、短くしても良いし、長いものと短いものを混合で使用しても良い。
【００７３】
挿入孔１５は、実施例３では、対向する面まで貫通した孔となっている。挿入口１５の直径は、固定棒２の直径と略同じか、すこし大きめとなっており、挿入口１５に、固定棒２がスムーズに挿入できる。挿入口１５の穴の直径をあまり大きくすると、薄床版ユニット６の位置ずれの原因ともなるため、挿入口１５の孔の直径は、固定棒２の直径と同じか、直径に加えて数ミリメートル余裕をもたせた大きさが良い。
【００７４】
図２６に示すように、底面視、薄床版ユニット６は、長方形状となっており、底面四辺は、すべて直線となっている。前述のとおり、薄床版ユニット６は、上辺６０ａが下辺６０ｂよりも少し長くなっているため、底面の横方向の辺の長さは、上面の横方向の長さよりも少し短くなっている。
【００７５】
実施例３では、固定棒２は、細い四角柱形状としているが、固定棒２の形状は四角柱形状に限定されず、三角柱や円柱、または、楕円柱でも良い。
【００７６】
図２７に示すように、薄床版ユニット６の右側側面１３には、上部と下部に、溝１６が、それぞれ設けられている。溝１６は、略長方形の切り欠き部であって、挿入口１５を縦半分に割った大きさと同じ大きさである。また、溝１６の横幅は、挿入口１５の横幅の約半分の幅である。すなわち、複数の薄床版ユニット６を直接的に配設した際、薄床版ユニット６の右側面１３に設けられた溝１６と、隣接する薄床版ユニット６の左側面１２に設けられた溝１６とが隣り合うと、挿入口１５を模した形状の挿入口を形成する。
【００７７】
図２８は、図２３に示した組立式ユニット橋梁キット３００において、端縁用ユニット８を示す斜視図である。端縁ユニット８は、上辺８０ａ及び下辺８０ｂの長さが薄床版ユニットの半分の寸法となっている。端縁ユニット８には、挿入口１５は設けられていないが、溝１６については、薄床版ユニット６と同じ場所、すなわち左右それぞれの縁に略長方形の切り欠き部が設けられている。床版ユニット１は、横並びに直列的に並べて橋の長さ方向を作成するとともに、並列的にも重ねていき、橋の幅を広くしていく。その際に薄床版ユニット６の境目が同じ場所にあると、境目部分の強度が弱くなってしまう。そこで、薄床版ユニット６は、その挿入口１６が、隣接する薄床版ユニット６の溝１６と重なるように、煉瓦を積む方法のひとつである長手積みの要領で、薄床版ユニット６が、ちょうど縦半分ずれるように重ねていく。そのため、ユニット組立橋のいちばん端縁には、面を揃えるために端縁用ユニット８を用いる。
【００７８】
次に、図２９から図３２を示しながら、組立式ユニット橋梁キット３００で、橋を架橋する手順について説明する。
【００７９】
図２９から図３１は、図２３に示した組立式ユニット橋梁キット３００において、橋を作成する手順を示す説明図であり、図３２は、図２１に示したユニット組立式ユニット橋梁キット３００において、完成した橋を設置した状態を示す参考斜視図である。
【００８０】
ユニット組立橋を作成するには、図２９（ａ）に示すように、まず、薄床版ユニット６を、横並びに、直接的に並べていく。さらに、固定棒２を、薄床版ユニット６の挿入口１５と、溝１６に、それぞれ差し込んでいく。組立式ユニット橋梁キット３００は、最初は、平らな床面で台座などを用いつつ組立てを行い、アーチ形状の橋ができあがった後に、橋をかけたい場所にユニット組立橋を移設すると作業を簡素にすることができる。移設の方法については、対岸よりロープなどで手繰り寄せる方法や既知の他の手法を用いても良い。
【００８１】
次に、図２９（ｂ）に示すように、薄床版ユニット６を、並列的に、重ねていく。その際に、図３０（ｃ）のように、薄床版ユニット６を隣接する薄床版ユニット６にぴったりと重ねず、薄床版ユニット６の挿入口１５と、隣接する薄床版ユニット６の溝１６の位置が合わさるように、煉瓦を積む方法のひとつである長手積みの要領で、薄床版ユニット４が、ちょうど縦半分ずれるように重ねていく。薄床版ユニット６を重ねていくと、橋の長手方向の一番端は、一列おきに空間を生じることになるので、図３０（ｄ）のように、その空間には端縁ユニット８を配設して、橋の長手方向の端の面が揃うようにする。
【００８２】
図３１のように、薄床版ユニット６と固定棒２と端縁ユニット８を組み合わせて、アーチ形状のユニット組立橋が完成したら、ユニット組立橋を渡したい場所に運び、設置する。
【００８３】
図３２のように、橋を設置する際は、ユニット組立橋をかける岸に、平面土台９ｃを設置し、その上に組立式ユニット橋梁キット３００で作成した橋の端を静かに置く。そのあと、ユニット組立橋の端を囲むように三角柱土台９ａと９ｂを置いて、ユニット組立橋を地面に固定する。
【００８４】
災害時の仮設橋や、緊急時に使用する橋の場合は、三角柱土台９ａ及び９ｂは省略して、完成したユニット組立橋を平面土台９ｃに直に設置しても良い。また、岸の地盤がある程度、固いものである場合は、平面土台９ｃも省略して、組立式ユニット橋梁キット３００で作成した橋を岸に直接設置しても良い。さらに、岸の地盤が崩れやすい土であって、土台が無い場合は、岸に盛り土をして、その上に、ユニット組立橋を置いて、緊急用の橋として設置しても良い。
【００８５】
災害時の仮設橋に使用する橋の場合は、三角柱土台９ａ及び９ｂ、および平面土台９ｃの替わりに設置場所付近にある土砂や岩、コンクリートブロックなどで代用しても良い。
【００８６】
（実施の形態４）
次に図３３から図３８を使用して実施例４の組立式ユニット橋梁キット４００を説明する。
【００８７】
図３３は、この発明の実施の形態４にかかる組立式ユニット橋梁キット４００であって、床版ユニットＡ１と固定棒Ａ２を示す斜視図であり、図３４は、図３３に示した組立式ユニット橋梁キット４００の床版ユニットＡ１と固定棒Ａ２を示す正面図である。図３５は、図３３に示した組立式ユニット橋梁キット４００の床版ユニットＡ１と固定棒Ａ２を示す平面図であり、図３６は、図３３に示した組立式ユニット橋梁キット４００の床版ユニットＡ１と固定棒Ａ２を示す底面図である。図３７は、図３３に示した組立式ユニット橋梁キット４００の床版ユニットＡ１と固定棒Ａ２を示す右側面図であり、図３８は、図３３に示した組立式ユニット橋梁キット４００を説明する説明図である。
【００８８】
図３３に示すように、本発明の組立式ユニット橋梁キット４００は、床版ユニットＡ１と固定棒Ａ２とを主に有するキットである。床版ユニットＡ１の形状は、八面体であって、上面Ａ１１と下面Ａ１６が横長の六角形となっている六角柱の形状である。上面Ａ１１の六角形の横幅は、下面Ａ１６の六角形の横幅より少し長くなっている。床版ユニットＡ１の中央に縦方向に走っている正面右側面Ａ１２と正面左側面Ａ１３との境界線上に２つの挿入口Ａ１７を有し、右側面Ａ１４及び左側面Ａ１５には、それぞれ２本ずつ溝Ａ１８が設けられている。床面ユニットＡ１の形状は、実施の形態４では、上面Ａ１１と下面Ａ１６が横長の六角形である六角柱であるが、上面と下面が縦長の六角形である六角柱でも良いし、上面と下面が正六角形の六角柱でも良い。
【００８９】
固定棒Ａ２は、細長い円柱形状の棒であり、挿入口Ａ１７または溝Ａ１８に嵌る太さとなっている。床版ユニットＡ１及び固定棒Ａ２は、プラスチック成型で形成しても良いし、木製、混凝土、発泡スチロール、ウレタンとしても良いし、アルミや鋼鉄で作成しても良い。また、プラスチック成型やアルミや鋼鉄で作成する場合は、中空のブロックとすれば、重量を軽減でき、製造コストも安価にすることができる。
【００９０】
図３４に示すように、正面視、床版ユニットＡ１の右上辺Ａ１２ａ及び左上辺Ａ１３ａ、右下辺Ａ１２ｂ及び左下辺Ａ１３ｂは、それぞれ、目視では直線に見えるが、直線ではなく、わずかに円弧を描いており、さらに、右上辺Ａ１２ａ及び左上辺Ａ１３ａの長さは、右下辺Ａ１２ｂ及び左下辺Ａ１３ｂの長さに比して、わずかに長くなっているため、床面ユニットＡ１を、横に複数枚直列的に並べていくと、床面ユニット１の右上辺Ａ１２ａ及び左上辺Ａ１３ａがつながったラインが、ゆるやかなアーチ形状を形成する（図３８参照、後述）。床面ユニット１の右下辺Ａ１２ｂ及び左下辺Ａ１３ｂがつながったラインも、同じく、ゆるやかなアーチ形状を形成する。床版ユニットＡ１の右上辺Ａ１２ａ、左上辺Ａ１３ａ、右下辺Ａ１２ｂ及び左下辺Ａ１３ｂを、それぞれ、直線として、右上辺Ａ１２ａ及び左上辺Ａ１３ａの長さを、右下辺Ａ１２ｂ及び左下辺Ａ１３ｂの長さより、わずかに長くしたものを用いても良い。
【００９１】
図３５に示すように、平面視、床版ユニットＡ１の上面Ａ１１は、横長の六角形となっており六角形の６つの辺は、すべて直線となっている。固定棒２は細長い円柱の棒であるが、固定棒２の長さは、床版ユニットＡ１の厚みよりも長くなっている。
【００９２】
挿入口Ａ１７は、実施例４では、対向する面まで貫通した孔となっている。挿入口Ａ１７は、貫通させない孔として、固定棒Ａ２を挿入口Ａ１７に嵌めることとしても良い。挿入口Ａ１７の直径は、固定棒Ａ２の直径よりすこし大きくして、挿入口Ａ１７に、固定棒Ａ２がスムーズに挿入できるように形成する。ただし、挿入口Ａ１７の穴の直径をあまり大きくすると、床版ユニットＡ１の位置ずれの原因となるため、挿入口Ａ１７の孔の直径は、固定棒Ａ２の直径に数ミリメートル余裕をもたせた程度が最適である。
【００９３】
図３６に示すように、底面視、床版ユニットＡ１の下面Ａ１６は、六角形となっている。前述のとおり、床版ユニット１は、右上辺Ａ１２ａ及び左上辺Ａ１３ａが、右下辺Ａ１２ｂ及び左下辺Ａ１３ｂより、すこし長くなっているため、下面Ａ１６の六角形の横幅は、上面Ａ１１の六角形の横幅よりも少し短くなっている。
【００９４】
図３７に示すように、床版ユニットの右側面Ａ１４には、上部と下部に、溝Ａ１８が、それぞれ床面に対し平行に設けられている。溝Ａ１８は、断面が半円形状の溝であって、溝の上縁の幅は挿入口Ａ１７の幅と同じである。また、溝Ａ１８の深さは、挿入口Ａ１７の半径と同じとなっている。すなわち、２つの床版ユニットＡ１を直列的に配設する（換言すると、床版ユニットＡ１の右側面と隣接する床版ユニットＡ１の左側面Ａ１５とが接するように配設する）と、床版ユニットＡ１の右側面Ａ１４に設けられた溝Ａ１８と、隣接する床版ユニットＡ１の左側面Ａ１５に設けられた溝Ａ１８が隣り合って、挿入口Ａ１７と同じ大きさ、同じ形状の挿入口を形成する。
【００９５】
この、床版ユニット４００ａを、煉瓦を積む方法のひとつである長手積みの要領で、床版ユニットＡ１が縦半分ずれるように重ねていくと、昆虫の蜂の巣に似た形状のハニカム構造にそろえることができる。ハニカム構造は、上からの荷重に対して強いだけでなく、横方向（水平方向）からの荷重にも強いため、橋に、横からの衝撃（強風にあおられて物体が飛来して来た場合等）が加わっても、橋の安定性を保つことができ、強度が高く安定性の高いユニット組立橋を提供することができる。
【００９６】
大きな橋になればなるほど、橋に対して、あらゆる方向から荷重がかかることになる。橋の通行面に対する上からの荷重以外にも、風雨の影響等で、横方向から、斜め方向から、あらゆる方向から橋には荷重がかかり、橋は、複雑な変形を生ずる。ハニカム構造は、１つ１つのユニットの側面が斜めになって合わさっていることで、面同士が押し付け合って荷重を受けるため、それら、あらゆる方向からの荷重に対し構造的な強さを発揮する。
【００９７】
組立式ユニット橋梁４００の床版ユニットＡ１の面は、概略八面体であるが、構成される床版ユニットの面の数に限定はなく、その他形状の多面体の床版ユニットを用いても本発明の主旨を逸脱しない。
【００９８】
組立式ユニット橋梁４００も、先に説明した実施例１から実施例３と同様に固定棒Ａ２の他、補助固定棒、ロープ、端縁用ユニットを備えても良い。詳しい部材や、組立方法、橋梁の設置方法ついての説明は実施例１から実施例３と同様であるため省略する。
【００９９】
実施例１から実施例４について正面の補助固定棒、ロープについて説明したが、背面については正面と同様であるため省略する。発明の実施の形態４については、橋の正面と背面の面を揃えるための端縁用ユニットを有するが、細かな説明は省略する。
【０１００】
本発明の組立式ユニット橋梁キットは、説明した部材だけを用い安定且つ頑丈な橋梁を作ることが可能であるが、既存技術であるボルトや螺子、溶接などを併用しても本発明の主旨を逸脱しない。
【０１０１】
本発明の組立式ユニット橋梁キットは、木材、プラスチック、発泡スチロールの他、アルミやステンレス・鉄鋼などの金属でも製作してもよく、構成される素材の材料に限定はなく、また、複数の素材を組み合わせて製作しても本発明の主旨を逸脱しない。
【０１０２】
本発明の組立式ユニット橋梁キットの作成について説明したが、本発明の組立式ユニット橋梁キットの大きさや長さは、一定の大きさ長さに限定されず、卓上などで製作される橋梁模型や、大河にかける長さ数キロメートルの橋を製作しても本発明の主旨を逸脱しない。
【０１０３】
本発明のユニット組立橋について詳細に説明したが、橋の設置後は、壁石・裏込石・敷石などを設置し、ローマ時代に建造されたアーチ橋に似た橋や、道路面にアスファルトなどを敷設し、欄干・中央分離帯、または、枕木やレールを敷設し自動車や、鉄道を交通させても本発明の主旨を逸脱しない。
【０１０４】
本発明のユニット組立橋について詳細に説明したが、本発明は、橋だけでなく住宅やドーム状構造物の屋根、自動車・電車・飛行機の車体などや、隧道、堰堤などの土木構造物に用いても本発明の主旨を逸脱しない。
【０１０５】
本発明のユニット組立橋について詳細に説明したが、本発明の組立式ユニット橋梁キットは、古代ローマ時代に建造されたアーチ橋と異なり、地球の重力を用いる必要がない。そのため設置場所は、低重力環境の月面や無重力環境の宇宙空間でも使用が可能であり、地表面以外の河川上や海上・海中・海底や、宇宙空間・月面などでの使用も本発明の主旨を逸脱しない。
【符号の説明】
【０１０６】
１００，２００，３００，４００  組立式ユニット橋梁キット
１  床版ユニット
１０  正面
１０ａ  上辺
１０ｂ  下辺
１１  上面
１２  左側面
１３  右側面
１４  底面
１５  挿入口
１６  溝
２  固定棒
２１  先端面
２２  外周
３  端縁ユニット
３０  正面
３０ａ  上辺
３０ｂ  下辺
３１  上面
３２  左側面
３３  右側面
３４  底面
３５  溝
４  薄床版ユニット
４０  正面
４０ａ  上辺
４０ｂ  下辺
４１  上面
４２  左側面
４３  右側面
４４  底面
４５  挿入口
４６  溝
５  端縁ユニット
５０  正面
５０ａ  上辺
５０ｂ  下辺
５１  上面
５２  左側面
５３  右側面
５４  底面
５５  溝
６  薄床版ユニット
６０  正面
６０ａ  上辺
６０ｂ  下辺
６１  上面
６２  左側面
６３  右側面
６４  底面
６５  挿入口
６６  溝
６８  補助固定棒挿入口
７ａ  固定棒
７１ａ  先端面
７２ａ  側面
７ｂ  補助固定棒
７１ｂ  先端面
７２ｂ  側面
８  端縁ユニット
８０  正面
８０ａ  上辺
８０ｂ  下辺
８１  上面
８２  左側面
８３  右側面
８４  底面
８５  溝
８６  補助固定棒挿入口
９ａ  三角柱土台
９ｂ  三角柱土台
９ｃ  平面土台
９ｄ  ロープ
９ｅ，９ｆ  補助版ユニット
Ａ１  床版ユニット
Ａ１１  上面
Ａ１２  正面右側面
Ａ１２ａ  右上辺
Ａ１２ｂ  右下辺
Ａ１３  正面左側面
Ａ１３ａ  左上辺
Ａ１３ｂ  左下辺
Ａ１４  右側面
Ａ１５  左側面
Ａ１６  下面
Ａ１７  挿入口
Ａ１８  溝
Ａ２  固定棒
【図１】
2016033318.tif 000003
【図２】
2016033318.tif 000004
【図３】
2016033318.tif 000005
【図４】
2016033318.tif 000006
【図５】
2016033318.tif 000007
【図６】
2016033318.tif 000008
【図７】
2016033318.tif 000009
【図８】
2016033318.tif 000010
【図９】
2016033318.tif 000011
【図１０】
2016033318.tif 000012
【図１１】
2016033318.tif 000013
【図１２】
2016033318.tif 000014
【図１３】
2016033318.tif 000015
【図１４】
2016033318.tif 000016
【図１５】
2016033318.tif 000017
【図１６】
2016033318.tif 000018
【図１７】
2016033318.tif 000019
【図１８】
2016033318.tif 000020
【図１９】
2016033318.tif 000021
【図２０】
2016033318.tif 000022
【図２１】
2016033318.tif 000023
【図２２】
2016033318.tif 000024
【図２３】
2016033318.tif 000025
【図２４】
2016033318.tif 000026
【図２５】
2016033318.tif 000027
【図２６】
2016033318.tif 000028
【図２７】
2016033318.tif 000029
【図２８】
2016033318.tif 000030
【図２９】
2016033318.tif 000031
【図３０】
2016033318.tif 000032
【図３１】
2016033318.tif 000033
【図３２】
2016033318.tif 000034
【図３３】
2016033318.tif 000035
【図３４】
2016033318.tif 000036
【図３５】
2016033318.tif 000037
【図３６】
2016033318.tif 000038
【図３７】
2016033318.tif 000039
【図３８】
2016033318.tif 000040